(57)【要約】【課題】携帯端末装置の待ち受け画面に設定する画像を簡易に加工できるようにする。【解決手段】端末装置２に画像データベース１１に保管された画像データの一覧を表示し、携帯電話４の待ち受け画面に設定したい画像データの選択を受け付ける。一方、加工された画像データの送信先携帯電話の機種および送信先アドレスの入力を受け付け、さらに、選択された画像データを端末装置２に表示する。表示された画像には、入力された携帯電話４の機種に応じた画面領域が表示される。端末装置２のユーザは画面領域の移動および拡大縮小を行って領域を指定する。そして、指定された領域に基づいて画像データを加工して加工済み画像データを得、これを入力された送信先アドレスに送信する。【選択図】          図１
2004151917.tif 000002
【特許請求の範囲】
【請求項１】
端末装置による複数の画像データからの一の画像データの選択を受け付け、
該選択された画像データから得られた加工済み画像データを送信する携帯端末装置の機種および該加工済み画像データを送信する送信先アドレスの指定を受け付け、
前記選択された画像データを前記指定された携帯端末装置の表示画面の仕様に応じた画面領域とともに前記端末装置に表示し、
前記画面領域の位置および／またはサイズの変更の指定を受け付け、
前記選択された画像データにより表される選択画像から前記指定された画面領域に基づく領域を切り出して前記加工済み画像データを生成し、
該加工済み画像データを前記送信先アドレスに送信することを特徴とする画像加工方法。
【請求項２】
前記指定された携帯端末装置の表示画面の仕様に応じたアスペクト比を維持しつつ前記画面領域のサイズの変更の指定を受け付けることを特徴とする請求項１記載の画像加工方法。
【請求項３】
前記複数の画像データは、前記端末装置からアップロードされた画像データであることを特徴とする請求項１または２記載の画像加工方法。
【請求項４】
複数の画像データが記憶された画像データ記憶手段と、
端末装置による前記画像データ記憶手段に記憶された複数の画像データからの一の画像データの選択を受け付ける選択受け付け手段と、
該選択された画像データから得られた加工済み画像データを送信する携帯端末装置の機種および該加工済み画像データを送信する送信先アドレスの指定を受け付けるアドレス指定受け付け手段と、
前記選択された画像データを前記指定された携帯端末装置の表示画面の仕様に応じた画面領域とともに前記端末装置に表示する表示手段と、
前記画面領域の位置および／またはサイズの変更の指定を受け付ける変更指定受け付け手段と、
前記選択された画像データにより表される選択画像から前記指定された画面領域に基づく領域を切り出して前記加工済み画像データを生成する加工手段と、
該加工済み画像データを前記送信先アドレスに送信する送信手段とを備えたことを特徴とする画像加工装置。
【請求項５】
前記変更指定受け付け手段は、前記指定された携帯端末装置の表示画面の仕様に応じたアスペクト比を維持しつつ前記画面領域のサイズの変更の指定を受け付ける手段であることを特徴とする請求項４記載の画像加工装置。
【請求項６】
前記複数の画像データは、前記端末装置からアップロードされた画像データであることを特徴とする請求項４または５記載の画像加工装置。
【請求項７】
端末装置による複数の画像データからの一の画像データの選択を受け付ける手順と、
該選択された画像データから得られた加工済み画像データを送信する携帯端末装置の機種および該加工済み画像データを送信する送信先アドレスの指定を受け付ける手順と、
前記選択された画像データを前記指定された携帯端末装置の表示画面の仕様に応じた画面領域とともに前記端末装置に表示する手順と、
前記画面領域の位置および／またはサイズの変更の指定を受け付ける手順と、
前記選択された画像データにより表される選択画像から前記指定された画面領域に基づく領域を切り出して前記加工済み画像データを生成する手順と、
該加工済み画像データを前記送信先アドレスに送信する手順とを有する画像加工方法をコンピュータに実行させるためのプログラム。
【請求項８】
前記変更の指定を受け付ける手順は、前記指定された携帯端末装置の表示画面の仕様に応じたアスペクト比を維持しつつ前記画面領域のサイズの変更の指定を受け付ける手順である請求項７記載のプログラム。
【請求項９】
前記複数の画像データは、前記端末装置からアップロードされた画像データである請求項７または８記載のプログラム。
【発明の詳細な説明】
【０００１】
【発明の属する技術分野】
本発明は、携帯電話のような携帯端末装置の表示画面に表示する画像を加工する画像加工方法および装置並びに画像加工方法をコンピュータに実行させるためのプログラムに関するものである。
【０００２】
【従来の技術】
携帯電話を用いて、テキストデータ、画像データ、音声データ等のコンテンツデータをダウンロードするウェブサイトにアクセスすることにより、ウェブサイトから携帯電話にコンテンツデータをダウンロードすることが行われている。とくに携帯電話に画像データをダウンロードすれば、携帯電話のユーザは所望とする待ち受け画面や着信画面等（以下待ち受け画面等とする）を携帯電話に設定することが可能となる。
【０００３】
しかしながら、携帯電話の仕様（表示できる画像のフォーマット、携帯電話に設けられている液晶画面の画面サイズ、表示可能な色数等）は、携帯電話の機種に応じて異なる。このため、携帯電話の仕様に応じた画像データをウェブサイトの画像サーバに保管しておき、ウェブサイトにアクセスした携帯電話の仕様を判別し、判別された仕様に応じた画像データを画像サーバから読み出して携帯電話に送信するようにしたシステムが提案されている（特許文献１参照）。特許文献１に記載されたシステムによれば、携帯電話のユーザは、画像データのリクエストを行うのみで、携帯電話の仕様に適した画像データを携帯電話にダウンロードして表示することができる。
【０００４】
一方、パソコン等の端末装置において、デジタルカメラ等を用いて自身が撮影した画像から所望とする領域を切り出し、これを携帯電話の待ち受け画面等に設定するために携帯電話のメールアドレスに送信するシステムも知られている。このシステムによれば、携帯電話のユーザが所望とする画像を携帯電話の待ち受け画面等に設定することができる。
【０００５】
【特許文献１】
特開２００２−２４４９７１号公報
【０００６】
【発明が解決しようとする課題】
しかしながら、上記特許文献１に記載されたシステムにおいては、携帯電話の仕様に応じた複数の画像データを画像サーバに保管する必要があるため、大容量の画像データの記憶装置を画像サーバに用意する必要がある。また、上記端末装置において画像データを加工するシステムにおいては、端末装置に画像データを加工するためのアプリケーションが必要となる。このため、端末装置のユーザは、アプリケーションを入手したり、アプリケーションの操作方法を取得する必要があり、ユーザの負担が大きい。
【０００７】
本発明は上記事情に鑑みなされたものであり、携帯端末装置の待ち受け画面等に設定する画像を簡易に加工できるようにすることを目的とする。
【０００８】
【課題を解決するための手段】
本発明による画像加工方法は、端末装置による複数の画像データからの一の画像データの選択を受け付け、
該選択された画像データから得られた加工済み画像データを送信する携帯端末装置の機種および該加工済み画像データを送信する送信先アドレスの指定を受け付け、
前記選択された画像データを前記指定された携帯端末装置の表示画面の仕様に応じた画面領域とともに前記端末装置に表示し、
前記画面領域の位置および／またはサイズの変更の指定を受け付け、
前記選択された画像データにより表される選択画像から前記指定された画面領域に基づく領域を切り出して前記加工済み画像データを生成し、
該加工済み画像データを前記送信先アドレスに送信することを特徴とするものである。
【０００９】
なお、本発明による画像加工方法においては、前記指定された携帯端末装置の表示画面の仕様に応じたアスペクト比を維持しつつ前記画面領域のサイズの変更の指定を受け付けるようにしてもよい。
【００１０】
また、本発明による画像加工方法においては、前記複数の画像データを、前記端末装置からアップロードされた画像データとしてもよい。
【００１１】
本発明による画像加工装置は、複数の画像データが記憶された画像データ記憶手段と、
端末装置による前記画像データ記憶手段に記憶された複数の画像データからの一の画像データの選択を受け付ける選択受け付け手段と、
該選択された画像データから得られた加工済み画像データを送信する携帯端末装置の機種および該加工済み画像データを送信する送信先アドレスの指定を受け付けるアドレス指定受け付け手段と、
前記選択された画像データを前記指定された携帯端末装置の表示画面の仕様に応じた画面領域とともに前記端末装置に表示する表示手段と、
前記画面領域の位置および／またはサイズの変更の指定を受け付ける変更指定受け付け手段と、
前記選択された画像データにより表される選択画像から前記指定された画面領域に基づく領域を切り出して前記加工済み画像データを生成する加工手段と、
該加工済み画像データを前記送信先アドレスに送信する送信手段とを備えたことを特徴とするものである。
【００１２】
なお、本発明による画像加工装置においては、前記変更指定受け付け手段を、前記指定された携帯端末装置の表示画面の仕様に応じたアスペクト比を維持しつつ前記画面領域のサイズの変更の指定を受け付ける手段としてもよい。
【００１３】
また、本発明による画像加工装置においては、前記複数の画像データを、前記端末装置からアップロードされた画像データとしてもよい。
【００１４】
なお、本発明による画像加工方法をコンピュータに実行させるためのプログラムとして提供してもよい。
【００１５】
【発明の効果】
本発明によれば、端末装置により画像データ記憶手段に記憶された複数の画像データからの一の画像データの選択が受け付けられる。そして、選択された画像データから得られた加工済み画像データを送信する携帯端末装置の機種および加工済み画像データの送信先アドレスの指定が受け付けられる。さらに、選択された画像データが、指定された携帯端末装置の表示画面の仕様に応じた画面領域とともに携帯端末装置に表示される。そして、画面領域の位置および／またはサイズの変更の指定が受け付けられ、選択された画像データにより表される選択画像から指定された画面領域に基づく領域が切り出されて加工済み画像データが生成され、これが指定された送信先アドレスに送信される。
【００１６】
このため、画像データを加工する側においては、携帯端末装置の仕様に応じた複数の画像データを保管する必要がなくなり、これにより、大容量の記憶装置を用意する必要がなくなる。また、端末装置側においては汎用のウェブブラウザのみを有すれば携帯端末装置にその仕様に応じて加工された加工済み画像データを送信できるため、端末装置に画像データを加工するためのアプリケーションを用意する必要がなくなり、これにより端末装置のユーザの負担を軽減して、携帯端末装置の待ち受け画面等に設定する画像を簡易に加工することができる。
【００１７】
また、指定された携帯端末装置の仕様に応じたアスペクト比を維持した状態で、画面領域のサイズの変更の指定を受け付けることにより、携帯端末装置の仕様に応じたアスペクト比を維持した状態で選択画像における所望とするサイズの領域を、加工済み画像データとして取得することができる。したがって、選択画像における所望とする領域を携帯端末装置の待ち受け画面等に設定できることとなる。
【００１８】
また、複数の画像データを端末装置からアップロードされた画像データとすることにより、端末装置のユーザが所望とする画像データを携帯端末装置の待ち受け画面等に設定することができる。
【００１９】
【発明の実施の形態】
以下図面を参照して本発明の実施形態について説明する。図１は本発明の実施形態による画像加工装置を備えた画像加工システムの構成を示す概略ブロック図である。図１に示すように本実施形態による画像加工システムは、サーバシステム１と一般電話回線等のネットワーク３を介して接続されたパソコン等の複数の端末装置２と、携帯電話通信網５を介して接続された複数の携帯電話４との間で情報のやり取りを行うものである。
【００２０】
サーバシステム１は、ネットワーク３を介して端末装置２と通信を行う通信インターフェース１０と、端末装置２からアップロードされた複数の画像データＳ０を保管する画像データベース１１と、後述する加工済み画像データを送信する携帯電話４の機種の入力、加工済み画像データの送信先アドレスの入力および選択した画像データにより表される選択画像における領域の指定等を行うウェブページを生成して端末装置２に表示するウェブサーバ１２と、選択された画像データを加工して加工済み画像データを取得する加工手段１３と、加工済み画像データを指定された送信先アドレスに送信すべく携帯電話通信網５と接続されたメールサーバ１４と、携帯電話４の機種に応じた液晶画面の仕様を記憶した画像加工テーブル１５とを備える。
【００２１】
端末装置２は、種々の表示を行うためのモニタ２１およびキーボードやマウス等からなる入力手段２２を備える。また、端末装置２には、ウェブブラウザおよびデジタルカメラにより取得された画像データを整理するための画像整理アプリケーションがインストールされている。端末装置２のユーザは、デジタルカメラにより取得した画像データ（Ｓ０とする）を画像整理アプリケーションを利用した端末装置２に取り込み、ネットワーク３を介してサーバシステム１にアップロードする。アップロードされた画像データＳ０は画像データベース１１に保管される。また、画像整理アプリケーションはウェブブラウザとリンクされており、画像整理アプリケーションの操作によりウェブブラウザが起動されて、端末装置２がサーバシステム１にアクセスして、後述するように画像データの選択や領域の指定等が行われる。
【００２２】
図２は画像加工テーブル１５を示す図である。図２に示すように、画像加工テーブル１５は、携帯電話４の機種と、液晶画面のサイズおよび表示可能な色数とが対応付けられてなるものである。ウェブサーバ１２は、端末装置２において入力された携帯電話４の機種に基づいて、画像加工テーブル１５を参照してその機種に応じたアスペクト比を有する画面領域を後述するように選択された画像データ（以下選択画像データＳ１とする）とともに端末装置２に表示する。
【００２３】
一方、加工手段１３は、画像加工テーブル１５を参照して、後述するように端末装置２において指定された領域に基づいて、選択画像データＳ１を加工して、指定された携帯電話４の機種に応じたサイズおよび色数を有する加工済み画像データＳ２を生成してメールサーバ１４に記憶する。
【００２４】
メールサーバ１４は、加工済み画像データＳ２を保管するとともに、保管場所のＵＲＬを記述したメールを端末装置２が指定した送信先アドレスに送信する。そして、送信先アドレスに対応する携帯電話４においてＵＲＬの指定がなされると、指定されたＵＲＬに保管された加工済み画像データＳ２をその携帯電話４に送信する。
【００２５】
携帯電話４は、画像データ、ウェブページおよび電話番号等、種々の情報の表示を行う液晶画面４１を備える。
【００２６】
次いで、本実施形態の動作について説明する。図３は、本実施形態において行われる処理を示すフローチャートである。なお、端末装置２からは画像データがサーバシステム１に送信されて、送信された画像データが画像データベース１１に保管されているものとする。
【００２７】
まず、端末装置２において画像整理アプリケーションが起動され（ステップＳ１）、画像整理画面が端末装置２に表示される（ステップＳ２）。続いて、サーバシステム１へのアクセスがなされたか否かの監視が開始され（ステップＳ３）、ステップＳ３が肯定されると、画像データベース１１に保管された端末装置２のユーザの画像データのサムネイル画像の一覧を含む画像選択画面が端末装置２に表示される（ステップＳ４）。
【００２８】
図４はサムネイル画像の一覧を含む画像選択画面を示す図である。図４に示すように画像選択画面３０には、サムネイル画像の一覧３０Ａと、種々の作業をサーバシステム１に行わせるための複数の指示ボタンからなる指示ボタン群３０Ｂとが表示される。指示ボタン群３０Ｂには、選択画像データＳ１の加工の指示を行うための加工指示ボタン３０Ｃが含まれる。
【００２９】
端末装置２のユーザは、一覧３０Ａから携帯電話４の待ち受け画面として設定したい画像を入力手段２２を用いて選択する。そして、画像の選択後、加工指示ボタン３０Ｃがクリックされたか否かの監視が開始され（ステップＳ５）、ステップＳ５が肯定されるとウェブブラウザが起動され（ステップＳ６）、サーバシステム１に加工指示が送信される（ステップＳ７）。なお、加工指示はユーザが選択した画像データを特定する情報を含む。
【００３０】
サーバシステム１のウェブサーバ１２においては、待ち受け画面の加工を端末装置２のユーザに案内する案内画面が生成され（ステップＳ８）、案内画面が端末装置２に表示される（ステップＳ９）。
【００３１】
図５は案内画面を示す図である。図５に示すように案内画面３１には、加工の手順を示すフローチャート３１Ａと、加工を開始させるための開始ボタン３１Ｂとが表示される。
【００３２】
そして、案内画面３１の開始ボタン３１Ｂがクリックされたか否かの監視が開始され（ステップＳ１０）、ステップＳ１０が肯定されると、作成された加工済み画像データＳ２の送信先アドレスの入力画面がウェブサーバ１２により生成され（ステップＳ１１）、送信先アドレス入力画面が端末装置２に表示される（ステップＳ１２）。
【００３３】
図６は送信先アドレス入力画面を示す図である。図６に示すように送信先アドレス入力画面３２には、送信先アドレスを入力する送信先アドレス入力ボックス３２Ａと、送信者である端末装置２のユーザのメールアドレスを入力する送信者アドレス入力ボックス３２Ｂと、タイトルを入力するタイトル入力ボックス３２Ｃと、メール本文を入力するメール本文入力ボックス３２Ｄと、加工を中止するための中止ボタン３２Ｅと、送信先アドレス入力画面３２に入力された内容を確定させるためのＯＫボタン３２Ｆとが表示される。
【００３４】
端末装置２のユーザは、送信先アドレス入力ボックス３２Ａに待ち受け画面を送信したい携帯電話４の送信先アドレスを入力し、送信者アドレス入力ボックス３２Ｂに送信者であるユーザのメールアドレスを入力し、タイトル入力ボックス３２Ｃにメールのタイトルを入力し、メール本文入力ボックス３２Ｆにメール本文を入力する。なお、待ち受け画面の加工を中止する場合は中止ボタン３２Ｅをクリックする。
【００３５】
ステップＳ１２に続いて、ＯＫボタン３２Ｆがクリックされたか否かの監視が開始され（ステップＳ１３）、ステップＳ１３が肯定されると、送信先の携帯電話４の機種を選択する機種選択画面がウェブサーバ１２により生成され（ステップＳ１４）、機種選択画面が端末装置２に表示される（ステップＳ１５）。
【００３６】
図７は機種選択画面を示す図である。図７に示すように機種選択画面３３には、携帯電話４の製造メーカー各社が販売している携帯電話４の機種名の一覧３３Ａが表示される。一覧３３Ａにおける機種名にはチェックボックス３３Ｂが付与されている。また、加工を中止するための中止ボタン３３Ｃと、選択した機種を確定させるためのＯＫボタン３３Ｄとが表示される。
【００３７】
端末装置２のユーザは、一覧３３Ａにおいて、加工済み画像データＳ２を送信する携帯電話４の機種に対応するチェックボックス３３Ｂをチェックすることにより機種名を選択する。ここで、図７においては携帯電話４の機種としてＮ５０４ｉが選択された状態を示している。なお、待ち受け画面の加工を中止する場合は中止ボタン３３Ｃをクリックする。
【００３８】
ステップＳ１５に続いて、ＯＫボタン３３Ｄがクリックされたか否かの監視が開始され（ステップＳ１６）、ステップＳ１６が肯定されると、選択画像データＳ１から所望とする領域を指定するための領域指定画面がウェブサーバ１２により生成され（ステップＳ１７）、領域指定画面が端末装置２に表示される（ステップＳ１８）。
【００３９】
図８は領域選択画面を示す図である。図８に示すように、領域指定画面３４には、選択画像データＳ１により表される選択画像３４Ａと、加工を中止するための中止ボタン３４Ｂと、選択した領域を確定させるためのＯＫボタン３４Ｃとが表示される。また、選択画像３４Ａには、機種選択画面３３において選択した携帯電話４の液晶画面４１に対応するアスペクト比を有する画面領域３４Ｄが表示される。
【００４０】
端末装置２のユーザは、領域指定画面３４の選択画像３４Ａにおいて画面領域３４Ｄの移動および拡大縮小を行い、待ち受け画面として設定したい領域を指定する。なお、画面領域３４Ｄの移動は、画面領域３４Ｄのクリックアンドドロップにより行うことができる。また、画面領域３４Ｄの拡大縮小は、画面領域３４Ｄの四隅のクリックアンドドロップにより行うことができる。この際、図９に示すように、画面領域３４Ｄはアスペクト比が維持された状態で拡大縮小がなされる。なお、待ち受け画面の加工を中止する場合は中止ボタン３４Ｂをクリックする。
【００４１】
ステップＳ１８に続いて、ＯＫボタン３４Ｃがクリックされたか否かの監視が開始され（ステップＳ１９）、ステップＳ１９が肯定されると、ウェブサーバ１２により確認画面が生成され（ステップＳ２０）、確認画面が端末装置２に表示される（ステップＳ２１）。
【００４２】
図１０は確認画面を示す図である。図１０に示すように確認画面３５には、領域指定画面３４において指定した領域の画像３５Ａと、送信先アドレス、送信者アドレス、タイトルおよびメール本文の一覧３５Ｂと、加工を中止するための中止ボタン３５Ｃと、内容を確定させるためのＯＫボタン３５Ｄとが表示される。
【００４３】
端末装置２のユーザは、確認画面３５の画像３５Ａにより待ち受け画面として携帯電話４に送信される画像の内容を、一覧３５Ｂにより送信先アドレス、送信者アドレス、タイトルおよびメール本文を確認することができる。なお、待ち受け画面の加工を中止する場合は中止ボタン３５Ｃをクリックする。
【００４４】
ステップＳ２１に続いて、ＯＫボタン３５Ｄがクリックされたか否かの監視が開始され（ステップＳ２２）、ステップＳ２２が肯定されると、加工手段１３により選択画像データＳ１から領域指定画面３４において指定された領域が切り出されるとともに、選択された携帯電話４の液晶画面４１のサイズに適合するように拡大縮小されて加工済み画像データＳ２が生成される（ステップＳ２３）。加工済み画像データＳ２はメールサーバ１４に保管され（ステップＳ２４）、処理を終了する。なお、加工済み画像データＳ２のメールサーバ１４への保管後、ウェブサーバ１２により完了画面を生成して端末装置２に完了画面を表示してもよい。
【００４５】
加工済み画像データＳ２がメールサーバ１４への保管されると、メールサーバ１４は端末装置２のユーザが入力した送信先アドレスに、タイトルおよびメール本文とともに、加工済み画像データＳ２の保管場所を示すＵＲＬが記述された電子メールを送信する。送信先アドレスに対応する携帯電話４により電子メールが受信されると、携帯電話４のユーザは電子メールに記述されたＵＲＬにアクセスすることにより、加工済み画像データＳ２を携帯電話４にダウンロードして待ち受け画面に設定することができる。
【００４６】
このように、本実施形態においては、サーバシステム１において選択された画像データＳ１を加工して加工済み画像データＳ２を生成するようにしたため、サーバシステム１に携帯電話４の仕様に応じた複数の画像データを保管する必要がなくなり、これにより、サーバシステム１において大容量の記憶装置を用意する必要がなくなる。したがって、サーバシステム１の構成を簡易なものとすることができる。
【００４７】
また、端末装置２においては汎用のウェブブラウザのみを有すれば携帯電話４の仕様に応じた加工済み画像データＳ２を取得できるため、画像データＳ１を加工するためのアプリケーションを端末装置２において用意する必要がなくなり、これにより端末装置２のユーザの負担を軽減して、携帯電話４の待ち受け画面に設定する画像を簡易に加工することができる。
【００４８】
また、領域指定画面３４において、指定された携帯電話４の仕様に応じたアスペクト比を維持した状態で、画面領域３４Ｄのサイズを変更するようにしたため、携帯電話４の仕様に応じたアスペクト比を維持した状態で選択した画像データＳ１により表される選択画像における所望とするサイズの領域を、加工済み画像データＳ２として取得することができる。したがって、選択した画像データＳ１により表される画像における所望とする領域を、携帯電話４の待ち受け画面に設定できることとなる。
【００４９】
なお、上記実施形態においては、端末装置２において画像データの選択および待ち受け画面に設定する領域の指定等を行っているが、携帯電話４から画像データの選択および待ち受け画面に設定する領域の指定等を行ってもよい。ここで、携帯電話４がサーバシステム１にアクセスする際には、ｈｔｔｐリクエストが携帯電話４からサーバシステム１に送信される。ｈｔｔｐリクエストには、携帯電話４からサーバシステム１への要求（例えば画像データの送信要求等）が含まれるとともに、携帯電話４の機種を表すユーザエージェントなる情報が含まれている。したがって、携帯電話４から領域の指定等の指示を行う際には、ユーザエージェントに基づいて、指示を行った携帯電話４の機種を特定できることとなる。よって、携帯電話４のユーザは機種を入力する必要がなくなり、その結果、待ち受け画面に設定する領域の指定をより容易に行うことができる。
【００５０】
また、上記実施形態においては、加工済み画像データＳ２を携帯電話４に送信して携帯電話４の待ち受け画面に設定しているが、ＰＤＡ等の携帯端末装置の壁紙等に設定してもよい。この場合、携帯端末装置を有するユーザのメールアドレスおよび携帯端末装置の機種の機種の入力を受け付け、入力された携帯端末装置の表示画面のサイズ等に応じて選択画像データＳ１が加工されて加工済み画像データＳ２が取得され、携帯端末装置のユーザのメールアドレスに送信されることとなる。
【図面の簡単な説明】
【図１】本発明の実施形態による画像加工装置を備えた画像加工システムの構成を示す概略ブロック図
【図２】画像加工テーブルを示す図
【図３】本実施形態において行われる処理を示すフローチャート
【図４】サムネイル画像の一覧を含む画像整理画面を示す図
【図５】案内画面を示す図
【図６】送信先アドレス入力画面を示す図
【図７】機種選択画面を示す図
【図８】領域選択画面を示す図
【図９】画面領域が拡大縮小される状態を示す図
【図１０】確認画面を示す図
【符号の説明】
１    サーバシステム
２    端末装置
３    ネットワーク
４    携帯電話
５    携帯電話通信網
１０    通信インターフェース
１１    画像データベース
１２    ウェブサーバ
１３    加工手段
１４    メールサーバ
１５    画像加工テーブル
【図１】
2004151917.tif 000003
【図２】
2004151917.tif 000004
【図３】
2004151917.tif 000005
【図４】
2004151917.tif 000006
【図５】
2004151917.tif 000007
【図６】
2004151917.tif 000008
【図７】
2004151917.tif 000009
【図８】
2004151917.tif 000010
【図９】
2004151917.tif 000011
【図１０】
2004151917.tif 000012